(57)【要約】      （修正有）【課題】コードの長さを一定の長さで巻き、コードの絡まりを防ぎ、携帯性、生産性、利便性の高いのカード型のホルダー形式を提供する。【解決手段】ホルダーの形状を携帯性、生産性の高いカード型にして一定の長さでコード７をカードに巻きつけてコード７の絡まりを防ぎ、保管することができることを特徴としたカード型コードホルダーである。カード内部にはコード７と共に保管するためのコード７を通す穴２を数ヶ所とカード四隅に紐などが通せる穴４を設け、カード周囲にはコードを引っかけることができる溝３を数ヶ所設ける。【選択図】図５
2009269754.tif 000002
【特許請求の範囲】
【請求項１】
ホルダーの形状を携帯性、生産性の高いカード型にして一定の長さでコードをカードに巻きつけてコードの絡まりを防ぎ、保管することができることを特徴としたカード型コードホルダーである。カード内部にはコードと共に保管するためのコードを通す穴を数ヶ所とカード四隅に紐などが通せる穴を設け、カード周囲にはコードを引っかけることができる溝を数ヶ所設ける。
【発明の詳細な説明】
【技術分野】
【０００１】  この発明は、ステレオイヤホンのコード、ＡＣアダプターのコード、電化製品のコード、通信ケーブル等をコンパクトにまとめるための補助器具の形状に関する。
【背景技術】
【０００２】  従来、コードをコンパクトにまとめるために、またコードの絡まりを防ぐために輪ゴムや針金、ベルトなどで束ねる形式のものやコードを補助器具に巻きつける形式のホルダータイプのものがある。
【発明の開示】
【発明が解決しようとする課題】
【０００３】  しかしながら、コードを束ねる形式の場合は、巻きつけるものがなく一定の長さに束ねることが難しかった。また従来のコードを巻きつける形式のホルダータイプの場合、補助器具の形状が特殊なため生産が容易ではなく、未使用時の携帯性が悪かった。そこで、この発明はコードの長さを一定の長さで巻き、コードの絡まりを防ぎ、携帯性、生産性、利便性の高いのホルダー形式を提供することを課題とする。
【課題を解決するための手段】
【０００４】  以上の課題を解決するために、本発明は、ホルダーの形状を携帯性、生産性の高いカード型にして一定の長さでコードをカードに巻きつけて保管することができることを特徴としたカード型コードホルダーである。カード内部にはコードと共に保管するためのコードを通す穴を数ヶ所とカード四隅に紐などが通せる穴を設け、カード周囲にはコードを引っかけることができる溝を数ヶ所設ける。
【発明の効果】
【０００５】  ホルダーの形状をカード型にすることによって、薄型名刺サイズであるため未使用時にもポケットやカードケースに入れ保管することができ、電化製品使用中もかさばることなくコードと共に携帯できる。また、生産性が良く平滑面にネームや広告など印刷をすることができる。【０００６】  カード内部にコードと共に保管するためのコードを通す穴を数ヶ所設けることによって、カードの穴にコードを通し、カード内でコードをスライドさせて巻き取り始めの位置を任意な位置に決めることができる。また、並んだ穴はコードをカードの縦方向（一方向）に巻けるように導いてくれる。【０００７】  カード周囲にコードを引っかけることができる溝を数ヶ所設けることによって、カードにコードを巻き付けた後にコードがはずれにくいように溝に引っかけて固定することができ、またコードの絡まりを防ぐことができる。【０００８】  カード四隅に紐などが通せる穴を設け、携帯電話、携帯音楽プレイヤー、電化製品などとリング、ストラップ等で連結させることができる。
【発明を実施するための最良の形態】
【０００９】  以下、本発明の実施の形態を、図に基づいて説明する。【００１０】  図１は、カード型コードホルダーの形状を示す斜視図である。カード型（薄型プレート状）の本体（１）の内部に穴（２）を設け、本体（１）の周囲に溝（３）が設けてある。また本体（１）の四隅には穴（４）も設けてある。【００１１】  図２は、本発明内部に設けた穴（２）にコードが通らない場合のカード型コードホルダーの形状を示す斜視図である。カード型（薄型プレート状）の本体（１）の内部の穴にコードが通らない場合の溝（５）を設け、本体（１）の周囲に溝（３）が設けてある。また本体（１）の四隅には穴（４）も設けてある。【００１２】  図３は、本発明内部に設けた穴（２）にコードを通したときの使用例を示す斜視図である。本発明内部に設けた穴（２）にコードを通すことによって、本体（１）カードからコード（６）が不意にはずれ落ちてしまうことを防ぐ。【００１３】  図４は、本発明の周囲に設けた溝（３）にコードを引っかけた状態を示す斜視図である。縦方向（一方向）に余分なコード（７）を本体（１）に巻きつけ、コードの先端部に近い残った余分なコード（７）を本体周囲に設けた溝（３）に引っかけることによって、余分なコード（７）をコンパクトにまとめることができる。
【実施例１】
【００１４】  図５は、ステレオイヤホン（９）のコードを本発明（１）に巻き付けて保管した状態を示す斜視図である。カード型（薄型プレート状）の本体（１）の内部の穴（２）にステレオイヤホン（９）のプラグ（８）を通すことによって、内部の穴に通したコード（６）で本体（１）と固定してはずれ落ちにくくする。縦方向（一方向）に余分なコード（７）を本体（１）に巻きつけ、コードの先端部に近い残った余分なコード（７）を本体周囲に設けた溝（３）に引っかけることによって、余分なコード（７）をコンパクトにまとめる。
【実施例２】
【００１５】  図６は、ＡＣアダプタ（１１）のコードを本発明に巻き付けて保管した状態を示す斜視図である。カード型（薄型プレート状）の本体（１）の内部の穴（２）にＡＣアダプタ先端接続部（１０）を通すことによって、内部の穴に通したコード（６）で本体（１）と固定してはずれ落ちにくくする。余分なコード（７）を本体周囲に設けた溝（３）に引っかけることによって、余分なコード（７）をコンパクトにまとめる。
【実施例３】
【００１６】  図７は、電化製品（１２）のＡＣコードを本発明に巻き付けて保管した状態を示す斜視図である。これは、電化製品（１２）のコンセントプラグが大きくて、本体内部に設けた穴（２）に通らない場合の実施例である。カード型（薄型プレート状）の本体（１）の内部に設けた穴（２）にコードが通らない場合には、穴にコードが通らない場合の溝（５）を設ける。設けた溝（５）にＡＣアダプタ（１１）のコードや電化製品（１２）のＡＣコードおよび電化製品の先端プラグ（１４）につながるコードを通すことによって、内部の穴に通したコード（６）で本体（１）と固定してはずれ落ちにくくする。縦方向（一方向）に余分なコード（７）を本体（１）に巻きつけ、コードの先端部に近い残った余分なコード（７）を本体周囲に設けた溝（３）に引っかけることによって、余分なコード（７）をコンパクトにまとめる。
【実施例４】
【００１７】  図８は、本発明を使用してポケット（１５）に入れて携帯している様子を示す斜視図である。本発明を利用することによって、余分なコード（７）の長さを調整し、ポケット（１５）や収納袋、カバンなどから出たコードの長さを任意の長さに固定して使用することができ、わずらわしい不要なコードを束ねることができる。
【実施例５】
【００１８】  図９は、本発明を携帯機器に接続した様子を示す斜視図である。携帯音響機器（携帯電話、音楽プレーヤー、ゲームプレーヤーなど）と共に携帯できるように、本体（１）の四隅に設けてある穴（４）に紐（１７）などで携帯音響機器（１６）に取り付けた様子である。
【実施例６】
【００１９】  図１０、図１１、図１２は、本発明のその他の形状の例を示す斜視図である。本発明はカード型形状であるため、平面形状のものであればその形状を容易に変えることが可能である。どうぶつ型や魚型や昆虫型などの形にするなど様々なデザインを考えることができる。
【図面の簡単な説明】
【００２０】
【図１】本発明の一実施形態を示す斜視図である。
【図２】本発明内部に設けた穴にコードが通らない場合の一実施形態を示す斜視図である。
【図３】本発明の内部に設けた穴にコードを通したときの使用例を示す斜視図である。
【図４】本発明の周囲に設けた溝にコードを引っかけた状態を示す斜視図である。
【図５】ステレオイヤホンのコードを本発明に巻き付けて保管した状態を示す斜視図である。
【図６】ＡＣアダプタのコードを本発明に巻き付けて保管した状態を示す斜視図である。
【図７】電化製品のコードを本発明に巻き付けて保管した状態を示す斜視図である。
【図８】本発明を使用してポケットに入れて携帯している様子を示す斜視図である。
【図９】本発明を携帯機器に接続した様子を示す斜視図である。
【図１０】本発明のその他の形状の例を示す斜視図１である。
【図１１】本発明のその他の形状の例を示す斜視図２である。
【図１２】本発明のその他の形状の例を示す斜視図３である。
【符号の説明】
【００２１】  １  本体                            ２  本体内部に設けた穴
３  本体周囲に設けた溝              ４  本体四隅に設けた穴
５  穴にコードが通らない場合の溝    ６  内部の穴に通したコード
７  余分なコード                    ８  ステレオイヤホンのプラグ
９  ステレオイヤホン              １０  ＡＣアダプタ先端接続部
１１  ＡＣアダプタ                  １２  電化製品
１３  電化製品のＡＣコード          １４  電化製品の先端プラグ
１５  ポケット                      １６  携帯音響機器
１７  紐（ストラップ）
【図１】
2009269754.tif 000003
【図２】
2009269754.tif 000004
【図３】
2009269754.tif 000005
【図４】
2009269754.tif 000006
【図５】
2009269754.tif 000007
【図６】
2009269754.tif 000008
【図７】
2009269754.tif 000009
【図８】
2009269754.tif 000010
【図９】
2009269754.tif 000011
【図１０】
2009269754.tif 000012
【図１１】
2009269754.tif 000013
【図１２】
2009269754.tif 000014